(57)【要約】【課題】原稿の読み取りの際に生じる裏写りを高精度に抑制することができる画像読取装置を提供する。【解決手段】  原稿の両面を読み取り、読み取った両面の画像データを比較することにより、裏写り成分を判別し、判別された裏写り成分を除去する画像読取装置において、複数の図形に関する画像パターンを予め格納する画像パターン格納手段と、過去に読み取った画像データの読取情報を予め格納する読取情報格納手段と、裏写り成分が除去された画像データを複数の領域に分割する領域分割手段と、分割された各領域毎の画像データを前記読取情報を用いて、前記画像パターン格納手段に格納されている前記画像パターンと照合する照合手段と、前記画像パターンと照合できなかった前記各領域毎の画像データの不調和成分を除去する不調和成分除去手段とを備えることを特徴とする画像読取装置。【選択図】図４
2010268319.tif 000002
【特許請求の範囲】
【請求項１】
原稿の一方の面を読み取る第１読取手段と、
前記原稿の他方の面を読み取る第２読取手段と、
前記第１読取手段により読み取られた前記一方の面の画像データと前記第２読取手段により読み取られた前記他方の面の画像データとを比較することにより、裏写り成分を判別する判別手段と、
該判別手段により判別された裏写り成分を除去する除去手段とを備える画像読取装置において、
複数の図形に関する図形的特徴を含む画像パターンを予め格納する画像パターン格納手段と、
過去に読み取った画像データの読取情報を予め格納する読取情報格納手段と、
前記除去手段により除去された画像データを複数の領域に分割する領域分割手段と、
該領域分割手段により分割された各領域毎の画像データを前記読取情報格納手段に格納されている前記読取情報を用いて、前記画像パターン格納手段に格納されている前記画像パターンと照合する照合手段と、
該照合手段により前記画像パターンと照合できなかった前記各領域毎の画像データの不調和成分を除去する不調和成分除去手段とを備えることを特徴とする画像読取装置。
【請求項２】
前記原稿の一方の面を照射する前記第１読取手段の第１光源と前記原稿の他方の面を照射する前記第２読取手段の第２光源の光量を調整する光量調整手段を備えることを特徴とする請求項１記載の画像読取装置。
【発明の詳細な説明】
【技術分野】
【０００１】
本発明は、原稿の表裏両面を読み取り可能な画像読取装置に関する。
【背景技術】
【０００２】
従来、複写機等に備えられる画像読取部やコンピュータ入力用のスキャナ等では、表裏両面に画像が印刷されている原稿を読み取るために、原稿の一方の面を露光走査して読み取った後、原稿の表裏を反転させて、他方の面を再度露光走査して読み取る反転読取方式が一般的に採用されている。この反転読取方式を採用する画像読取装置では、原稿の表裏を反転させて再度読み取る処理が必要になるため、原稿の両面を読み取るのに時間が掛かり、生産性が低下するという問題があった。
【０００３】
そのため、近年では、両面読み取りの速度を向上させて、生産性を上げるため、原稿の表裏両面を略同時に読み取れるように原稿の表面を読み取るイメージセンサと裏面を読み取るイメージセンサの２つのイメージセンサを備えた画像読取装置が開発されている。
【０００４】
しかしながら、このような原稿の両面を略同時に読み取る画像読取装置では、原稿の紙の種類には種々なものがあるため、原稿の両面を露光した際に、読み取り対象の面とは、反対側の面の画像が透過されて読み取り画像に影響を及ぼす、所謂裏写りが生じることがある。特に、画像が薄い紙の両面に印刷されている場合等には、裏写りが顕著になるため、読み取り画像の品質を著しく低下させてしまう問題がある。
【０００５】
これらの問題を解決するために、読み取った画像の濃度に対して閾値を設定し、この閾値以下の濃度の画像を裏写り領域であると判断して、その裏写り領域を消去することにより裏写りを防止するための画像読取装置等が開示されている（例えば、特許文献１参照）。
【先行技術文献】
【特許文献】
【０００６】
【特許文献１】特開２００２−１５２４７３号公報
【発明の開示】
【発明が解決しようとする課題】
【０００７】
しかしながら、上記特許文献１に記載の画像読取装置においても、閾値の設定の仕方によっては、必ずしも適切に裏写りが除去されるとは限らないという問題があった。
【０００８】
本発明は上記のような種々の課題に鑑みてなされたものであって、原稿の読み取りの際に生じる裏写りを高精度に抑制することができる画像読取装置を提供することを目的とする。
【課題を解決するための手段】
【０００９】
上記目的を達成するために、請求項１記載の画像読取装置では、原稿の一方の面を読み取る第１読取手段と、前記原稿の他方の面を読み取る第２読取手段と、前記第１読取手段により読み取られた前記一方の面の画像データと前記第２読取手段により読み取られた前記他方の面の画像データとを比較することにより、裏写り成分を判別する判別手段と、該判別手段により判別された裏写り成分を除去する除去手段とを備える画像読取装置において、複数の図形に関する画像パターンを予め格納する画像パターン格納手段と、過去に読み取った画像データの読取情報を予め格納する読取情報格納手段と、前記除去手段により除去された画像データを複数の領域に分割する領域分割手段と、該領域分割手段により分割された各領域毎の画像データを前記読取情報格納手段に格納されている前記読取情報を用いて、前記画像格納手段に格納されている前記画像パターンと照合する照合手段と、該照合手段により前記画像パターンと照合できなかった前記各領域毎の画像データの不調和成分を除去する不調和成分除去手段とを備えることを特徴としている。
【００１０】
請求項２記載の画像読取装置では、請求項１記載の画像読取装置において、前記原稿の一方の面を照射する前記第１読取手段の第１光源と前記原稿の他方の面を照射する前記第２読取手段の第２光源の光量を調整する光量調整手段を備えることを特徴としている。
【発明の効果】
【００１１】
請求項１記載の画像読取装置によれば、原稿の両面の画像を読み取って比較することにより判別した裏写り成分を除去した画像データを更にこれまでに読み取った画像データの読取情報を用いて、予め格納している画像パターンと照合し、照合できなかった部分を不調和成分として除去するので、より高精度に裏写りを防止することができる。
【００１２】
請求項２記載の画像読取装置によれば、原稿の両面を読み取る際の光源の光量を調整することができるので、読み取り画像のコントラストが適切になるように調整することができる。
【図面の簡単な説明】
【００１３】
【図１】本発明に係る画像読取装置の構成の一例を示すブロック図である。
【図２】本発明に係る画像読取装置の構成の一例を示す概略構成図である。
【図３】第２読取部の構成の一例を示す概略構成図である。
【図４】画像処理部の構成の一例を示すブロック図である。
【図５】画像処理部による処理の流れを説明するためのフローチャートである。
【図６】読み取る原稿の両面の一例を示す説明図である。
【図７】原稿の両面を読み取る際の裏写り成分について説明するための説明図である。
【図８】裏写り成分除去後の画像データを領域分割した一例を示す説明図である。
【発明を実施するための形態】
【００１４】
以下に本発明における実施の形態について各図面を用いて説明する。本発明の実施の形態に係る画像読取装置１は、原稿の画像を読み取り、読み取った画像データから裏写り成分を除去するためのものである。画像読取装置１は、図１に示すように、制御部（ＣＰＵ：Central Processing Unit）２、ＲＯＭ（Read Only Memory）３、ＲＡＭ（Random Access Memory）４、原稿読取部５、画像処理部６、画像メモリ７、記録部８、操作部９、表示部１０、入出力インタフェース部１１等を備えたものであって、各部２乃至１１は、バス１２によって通信可能に接続されている。
【００１５】
制御部２は、画像読取装置１の各部の動作を制御するためのものである。ＲＯＭ３は、制御部２によりこの画像読取部１の各部の動作を制御するための各種プログラムや自装置固有の情報等を記憶する読み出し専用の不揮発性メモリである。
【００１６】
ＲＡＭ４は、画像読取装置１の処理動作に用いる設定情報や動作情報等の各種データを読み出し及び書き込み可能な状態で記憶するものであり、後述する画像パターン及び読取情報もこのＲＡＭ４の記憶領域内に予め格納される。
【００１７】
原稿読取部５は、原稿のカラー及びモノクロの双方の入力画像データを読み取るものである。本実施形態では、図２に示すように、画像読取装置１は、積載された原稿束から原稿を順次搬送するための搬送手段である自動原稿搬送装置（ＡＤＦ：Automatic Document Feeder）５０、該自動原稿搬送装置５０により搬送される原稿の表面の画像を読み取る第１読取手段である第１読取部５１、原稿の裏面の画像を読み取る第２読取手段である第２読取部５２を備えており、第１読取部５１及び第２読取部５２が原稿読取部５を構成している。
【００１８】
自動原稿搬送装置５０は、複数枚の原稿からなる原稿束を載置する原稿トレイ５３から原稿を１枚ずつ順次搬送路５４上を搬送させながら、第１読取部５１及び第２読取部５２によって原稿の表裏両面の画像を略同時に読み取らせて、原稿を排出トレイ５５へと排出させるものである。この自動原稿搬送装置５０では、載置される原稿の量に応じて原稿トレイ５３を上昇及び下降させるトレイリフタ５６、原稿トレイ５３に載置された原稿束の最も上位に位置する原稿を搬送するピックアップローラ５７ａ、ピックアップローラ５７ａにより搬送された原稿を搬送路５４の下流側へと搬送するフィードローラ５７ｂ、原稿を更に下流側のローラまで搬送するプレレジローラ５７ｃ、第１読取部５１及び第２読取部５２の原稿読み取りの開始タイミングに合わせて原稿を第１読取部５１及び第２読取部５２の原稿読み取り位置へと搬送するレジローラ５７ｄ、第１読取部５１の原稿読み取り位置の原稿を第１プラテンガラス１３へと押圧するプラテンローラ５７ｅ、第１読取部５１及び第２読取部により読み取られた原稿を速度を一定に保った状態で搬送路５４の下流へと搬送するアウトローラ５７ｆ、及び搬送されてきた原稿を排出トレイ５５へ排出する排紙ローラ５７ｇを備えている。
【００１９】
第１読取部５１は、自動原稿搬送装置５０を載置できるように筐体５８により外枠が形成されると共に、自動原稿搬送装置５０により搬送される原稿を読み取るための光の開口部を形成する第１プラテンガラス１３、及び画像を読み取る原稿を静止させた状態で載置するための第２プラテンガラス１４が設けられている。
【００２０】
また、第１読取部５１は、フルレートキャリッジ１５、ハーフレートキャリッジ１６、結像レンズ１７、及びＣＣＤイメージセンサ１８を備えている。フルレートキャリッジ１５は、第１プラテンガラス１３の下に静止した状態、又は第２プラテンガラス１４の全域に渡って移動することにより原稿を走査して画像を読み取るものであり、原稿に光を照射する光源１５ａ、原稿からの反射光を受光してハーフレートキャリッジ１６へと反射させる第１ミラー１５ｂを備えている。ハーフレートキャリッジ１６は、第１ミラー１５ｂから受光した反射光を結像レンズ１７へと導くための第２ミラー１６ａ及び第３ミラー１６ｂを備えている。結像レンズ１７は、第３ミラー１６ｂから受光した反射光をＣＣＤイメージセンサ１８の受光面に結像させる。
【００２１】
ＣＣＤイメージセンサ１８は、固体撮像素子であるＣＣＤ（Charge Coupled Device）から構成されており、結像レンズ１７により結像された光量の大小を光量信号として読み取り、光電変換によって光量信号を電気信号に変換して画像処理装置７へと出力する。
【００２２】
第１読取部５１では、自動原稿搬送装置５０により搬送される原稿の画像を読み取る場合には、フルレートキャリッジ１５及びハーフレートキャリッジ１６を第１プラテンガラスの下の原稿読み取り位置に静止させる。つまり、フルレートキャリッジ１５及びハーフレートキャリッジ１６を図２に実線で示す位置に静止させた状態にする。そして、第１読取部５１は、自動原稿搬送装置５０により第１プラテンガラスの上を通過する原稿の１ライン目の反射光を第１ミラー１５ｂ、第２ミラー１６ａ、第３ミラー１６、及び結像レンズ１７を介してＣＣＤイメージセンサ１８の受光面に結像させることにより原稿の画像を読み取る。より具体的には、Ｒ（赤）、Ｇ（緑）、Ｂ（青）の３色用の１次元センサが３列一組で配置されるＣＣＤイメージセンサ１８により主走査方向の１ラインを各色ずつ同時に処理した後、自動原稿搬送装置５０により搬送される原稿の次の１ラインを読み取る。このように、自動原稿搬送装置５０により搬送される原稿が、原稿読み取り位置の上を通過するまで原稿を１ラインずつ読み取ることにより、原稿１枚を読み取る。
【００２３】
また、第２プラテンガラス１４に載置された原稿の画像を読み取る場合、第１読取部５１では、フルレートキャリッジ１５及びハーフレートキャリッジ１６を２：１の割合の速度でスキャン方向（副走査方向）に移動させる。このとき、フルレートキャリッジ１５の光源１５ａの光が原稿の読み取り面に照射され、その原稿からの反射光が第１ミラー１５ｂ、第２ミラー１６ａ、第３ミラー１６、及び結像レンズ１７を介してＣＣＤイメージセンサ１８の受光面に結像される。ＣＣＤイメージセンサ１８は、上述したようにＲ（赤）、Ｇ（緑）、Ｂ（青）の３色用の１次元センサが３列一組で配置されて構成されており、主走査方向の１ラインを各色ずつ同時に処理した後、フルレートキャリッジ１５及びハーフレートキャリッジ１６を副走査方向に移動させて、原稿の次の１ラインを読み取る。この動作を原稿サイズの全域に渡るまで行うことにより、原稿１枚を読み取る。
【００２４】
一方、第２読取部５２は、所謂ＣＩＳ（Contact Image Sensor）方式のものであり、図３に示すように、光源５２ａ、ロッドレンズアレイ５２ｂ、ラインセンサ５２ｃを備えている。光源５２ａは、自動原稿搬送装置５により搬送される原稿の裏面に光を照射するＬＥＤ等から構成されている。ロッドレンズアレイ５２ｂは、光源５２ａからの反射光を受光してラインセンサ５２ｃに原稿と等倍率で結像することにより、原稿の画像を読み取る。ラインセンサ５２ｃには、ＣＣＤやＣＭＯＳセンサ、密着型センサ等を用いることができる。また、カラー画像を読み取るときには、Ｒ（赤）、Ｇ（緑）、Ｂ（青）の３色のＬＥＤを使用し、ラインセンサ５２ｃとしてＲ（赤）、Ｇ（緑）、Ｂ（青）の３色用の３列１組のセンサを用いる。自動原稿搬送装置５０により搬送される原稿の裏面を第２読取部５２で読み取る場合、１次元のラインセンサ５２ｃによって主走査方向の１ラインを各色ずつ同時に処理した後、搬送される原稿の次の１ラインを読み込む。このようにして、原稿の裏面についても副走査方向に渡って原稿１枚の読み取りを行う。
【００２５】
本実施形態に係る画像読取装置１では、自動原稿搬送装置５０により搬送される原稿を第１プラテンガラス１３の下にフルレートキャリッジ１５及びハーフレートキャリッジ１６を静止させた状態で、原稿の表面を第１読取部５１により読み取ると共に、原稿の裏面を第２読取部により読み取ることが可能に構成されている。
【００２６】
このようにして、第１読取部５１及び第２読取部５２により読み取られて電気信号に変換されたＲ、Ｇ、Ｂの３つの色成分のそれぞれのアナログ画像信号が出力される。画像処理部６では、図４に示すように、ＡＦＥ６１ａ，６１ｂによりこの出力されたそれぞれのアナログ画像信号を増幅する所謂ゲイン調整を行う。そして、Ａ／Ｄコンバータ６２ａ，６２ｂでは、ＡＦＥ６１ａ，６１ｂでゲイン調整されたアナログ画像信号の各色成分データをＡ／Ｄ変換する。尚、本実施の形態においては、原稿から取得される入力画像データは、Ａ／Ｄ変換されて取得されたＲＧＢ表色系のカラー画像データであるが、入力画像データは、モノクロ画像データであっても良い。
【００２７】
また、シェーディング補正部６３ａ，６３ｂでは、Ａ／Ｄコンバータ６２ａ，６２ｂから出力された原稿の画像データに対して、シェーディング補正を行う。そして、入力色空間変換部６４ａ，６４ｂにてＲＧＢ表色系の入力画像データを、例えばL*a*b表色系の入力画像データに色空間変換する。尚、ここで使用する表色系は、L*a*b表色系に限定されるものではなく、例えば、ＹＣｒＣｂ表色系等であっても良い。また、これらの処理を第１読取部及び第２読取部の内部にて処理されるように構成しても良い。また、画像処理部６では、このようして得られた入力画像データに対して後述する裏写り成分の除去処理等を行う。
【００２８】
画像メモリ７は、画像処理部６で所定の処理が施された画像データ等を一時的に格納するものであり、例えば、入力色空間変換部６４ａ，６４ｂで色空間変換処理が施された入力画像データ等を一時的に格納する。記録部８は、原稿読取部５から出力された入力画像データに基づいて画像処理部６において生成された出力画像データを印刷出力するものであり、例えば、感光体ドラムの表面に静電潜像を形成するための光書き込み光源として、ＬＥＤ素子を直線上に複数配列させたＬＥＤアレイを用いる所謂ＬＥＤプリンタ等である。
【００２９】
操作部９は、図示しないが、原稿の読み取り動作の開始を指示するスタートキー、印刷部数等を入力するためのテンキー、第１読取部５１の光源５１ａ及び第２読取部５２の光源５２ａであるLEDの光量を光量調整部２１により調整するための設定等の各種設定を行うためのカーソルキー等を備えるものである。表示部１０は、各種の設定状態や自装置１の動作状態を文字や図形等で表示する液晶表示装置である。入出力インタフェース部１１は、不図示の外部のコンピュータ等との通信を行うためのものである。
【００３０】
次に、このように構成された画像読取装置１により原稿の表裏両面を読み取る場合における画像処理部６による裏写り成分を除去する処理の一例について、図４〜８を用いて説明する。まず、図５のフローチャートに示すように、操作部９から両面読み取りの設定がなされ、読み取り開始のためのスタートキーが押下されると、自動原稿搬送装置５０により原稿トレイ５３から搬送路５４へと搬送される原稿の表面及び裏面をそれぞれ第１読取部５１及び第２読取部５２が読み取る（Ｓ１）。このようにして読み取られたそれぞれの画像データは、上述した画像処理部６のＡＦＥ６１〜入力色空間変換部６４までの所定の処理が施され、画像メモリ７へと蓄積される。図６には、読み取る原稿画像の一例を示しており、これらがそれぞれ第１読取部５１及び第２読取部５２により読み取られた後の画像を図７の（ａ），（ｂ）に示している。図７の（ａ），（ｂ）に示すように、それぞれの面には、読み取り対象となる反対側の画像が透過して裏写りが生じている。
【００３１】
そこで、まず裏写り成分を判別する処理を行う（Ｓ２）。ここでは、裏写り成分を抽出するために、図４に示す裏写り成分判別部６５は、読み取られた画像に対して鏡像処理を施す。これは、読み取り対象となる画像面の反対側に透過する画像は、図７の（ａ），（ｂ）に示すように鏡像になるため、読み取り対象の画像との比較を行うための処理である。鏡像処理が施されるとそれぞれ図７の（ｃ），（ｄ）に示す画像が得られる。この図７の（ａ）に示す画像Ａの鏡像である図７の（ｃ）の画像Ｃを、図７の（ｂ）に示す画像Ｂと比較すると、画像Ｃと画像Ｂでは、円と三角形の画像の濃度は異なるが位置及び画像の向きは一致する。従って、裏写り成分判別部６５では、このような比較を行うことにより、同じ位置に存在する画像の濃度について片方は低く、他方が高くなる場合、画像の濃度の低い方については、光の透過によって生じた裏写り成分であると判別する。
【００３２】
次に、この裏写り成分を除去するための処理を行う（Ｓ３）。裏写り成分除去部６６は、鏡像処理した画像と、反対面の読み取り画像とを像域分離してそれぞれ比較することにより裏写り成分のみを抽出する。裏写り成分除去部６６では、まず図７に示すそれぞれの画像に対してエッジ抽出を行うことにより画像のアウトラインを抽出する。そして、その閉領域の画像が他方の面を読み取った画像の閉領域に入るか否かにより、裏写り成分か否かを判断して、裏写り成分を分離する。このようにして抽出された裏写り成分の濃度を検出し、読み取り対象面の画像に含まれる抽出された裏写り成分の領域から検出した裏写り成分の濃度を減算することにより裏写り成分を除去する。これにより、読み取り画像に生じる裏写り成分をある程度の精度で除去することができる。しかしながら、必ずしも裏写り成分が確実に除去されない場合も存在する。
【００３３】
そこで、さらに上記Ｓ３の処理により裏写り成分を除去した画像データを図８に示すように、領域分割部６７により複数の領域に分割する（Ｓ４）。尚、図８では、表面画像データのみを示しているが、裏面画像データについても同様の処理を施す。
【００３４】
そして、照合部６８では、このように分割された各領域毎に予めＲＡＭ４に格納されている読取情報を用いて、画像パターンとの照合を行う（Ｓ５）。ＲＡＭ４には、図１及び図４に示すように、画像パターン及び読取情報をそれぞれ格納するための格納領域４１，４２が設けられている。画像パターン格納領域４１に格納する画像パターンは、図形的特徴を含むものであり、線分、円、半円、楕円、三角形、四角形等の基本的形状、それらの基本的形状を放物線的に歪ませた形状や幾何学的に変形された形状等の想定されるあらゆる形状を画像パターンとして格納する。つまり、画像パターン格納領域４１は、想定されるあらゆる画像パターンを格納するためのデータベースとしての機能を果たすものである。また、画像パターン格納領域４１には、これらの画像パターンの座標的な位置関係を示す情報も格納される。この座標的な位置関係を示す情報により、特徴的な形状がいくつか検出された場合に、それらをつなぎ合わせるため等に利用することができる。
【００３５】
また、読取情報格納領域４２には、予め過去に読み取った原稿の画像データの読取情報が格納される。そのため、予め様々な場合を想定し、あらゆる対象の原稿について読み取りを行っておく。そして、その様々な条件毎の原稿について、どのようにして正確な読み取りが行われるのかを規定するために、どのような状態の場合に裏写りが生じるかという情報を予め読取情報として格納しておく。つまり、このような読取情報を予め取得しておくことにより、現在読み取った画像データに対して、どのような場合に裏写りが生じるのかを判断する基準として利用することができる。この読取情報としては、例えば、原稿の紙の種類に応じた画像の基準濃度値等を予め登録しておく。これにより、例えば、過去に読み取った原稿と同種の紙であって、裏写り成分除去後の画像データにその紙の種類に対応する基準濃度値以下の成分が存在する場合等には、その部分が画像データに調和しない不調和成分であると判断する等の処理を行うことができる。尚、読取情報は、これに限定されるものではなく、紙の種類、色成分、コントラスト、輝度、明度等の様々な情報からなるものである。
【００３６】
また、照合部６８によるＳ５の画像パターンの照合処理では、ディジタルカメラ等に利用される顔認識アプリケーションの原理を応用しており、各領域毎の特徴部分の抽出を行い、それが画像パターンに類似しているかを判断して照合を行う。このような照合を各領域毎に行って、それらを組み合わせることにより、本来の原稿画像の形へと近付けていく。その際、読取情報に基づいて、調和していないと考えられる画像データの不調和成分については、画像パターンとの照合は行われない。従って、この画像パターンとの照合が行われなかった部分については、不調和成分とみなし、不調和成分除去部６９では、この不調和成分について除去処理を行う（Ｓ６）。これにより、より確実にユーザが意図する画像データを取得することが可能になる。尚、本実施形態では、図８に示すようにマトリクス状に分割しているが、分割の仕方は、これに限定されるものではなく、特徴部分が抽出できるような分割であれば良く、分割領域が重なり合っても良い。
【００３７】
また、上記処理を行うためには、適切なコントラストが重要となるため、図１に示すように、第１読取部の光源１５ａ及び第２読取部の光源５２ａであるＬＥＤの光量を調整するための光量調整部２１が設けられている。従って、Ｓ１の両面読取処理を行う前に、この光量調整部２１により光量を調整して読取処理を行うことができる。また、操作部９からプレスキャンを設定することにより、プレスキャン画像を表示部１０にプレビュー表示させ、そのプレスキャン画像を基に光量調整部２１を調整しても良い。従って、ユーザは、この表示部１０に表示されたプレスキャン画像を確認し、裏写りが著しく生じている場合には、操作部９から光源の光量を低い値に設定することにより、予め適切な光量へと調整すること等も可能である。また、それらの光量の調整を紙の種類に応じて、制御部２で自動的に調整できる手段等を設けておいても良い。また、光量調整部２１では、カラー画像に対応するため、適宜発光色を切り換えることも可能である。
【００３８】
また、上記Ｓ６の処理を終えた画像データを表示部１０にプレビュー表示させ、この画像データに対して、更に修正可能なように、操作部９と制御部２の一部により構成され、表示部１０に表示される画像における領域を指定できる領域指定手段と、この領域指定手段により指定された領域の修正を行うための領域修正手段とを設けておいても良い。これにより、ユーザによって、更に修正を加えることができるので、より精度の良い画像データを取得することができる。尚、このプレビュー表示を入出力インタフェースを介して接続される外部のコンピュータのディスプレイに表示させ、外部のコンピュータから修正処理を行うように構成することも当然可能である。
【００３９】
また、画像メモリ７に裏写り成分除去前の画像データを格納しきおき、表示部１０にその裏写り成分除去前の画像と、Ｓ６の処理を終えた画像を並列的に表示させ、Ｓ６の処理を終えた画像のうち、照合部６８で誤った画像パターンが照合されている領域、又は誤って除去された領域等を領域指定手段により指定し、領域修正手段により、その領域に対応する裏写り成分除去前の画像における領域に回復させる処理を行えるように構成することも可能である。これにより、誤って除去された領域や誤って照合された領域をユーザが修正することができるので、ユーザの意図する画像データをより確実に得ることができる。
【００４０】
また、カラー画像が透過して裏写りした場合に、読み取り対象の面側の図形等と裏写り成分が重なった場合、上記処理を施したとしても適切な色が得られない可能性がある。そこで、予めＲＯＭ３等にカラーデータを格納しておき、領域指定手段により指定された領域に対して、ユーザが適切な色をカラーデータから操作部９を用いて選択できるようにカラー選択手段を備えておいても良い。これにより、ユーザが意図する適切な色の読み取り画像を得ることが可能になる。
【符号の説明】
【００４１】
１            画像読取装置
２            制御部（ＣＰＵ）
２１          光量調整部（光量調整手段）
４１          画像パターン格納領域（画像パターン格納手段）
４２          読取情報格納領域（読取情報格納手段）
５            原稿読取部
５１          第１読取部（第１読取手段）
５２          第２読取部（第２読取手段）
６            画像処理部
６５          裏写り成分判別部（判別手段）
６６          裏写り成分除去部（除去手段）
６７          領域分割部（領域分割手段）
６８          照合部（照合手段）
６９          不調和成分除去部（不調和成分除去手段）
【図１】
2010268319.tif 000003
【図２】
2010268319.tif 000004
【図３】
2010268319.tif 000005
【図４】
2010268319.tif 000006
【図５】
2010268319.tif 000007
【図６】
2010268319.tif 000008
【図７】
2010268319.tif 000009
【図８】
2010268319.tif 000010